(57)【要約】【課題】部品数の削減や製品の小型化を図り、製造コストの抑制や取付スペースの省スペース化を図ることのできる天井旋回扇風機を得ること。【解決手段】天井旋回扇風機５０は、ファン１３と、ファンを回転させる電動機部５と、電動機部に連結されて、その連結部分でファンの回転軸２０に垂直な第１の回転軸を中心に電動機部を回転可能に支持する電動機支持体２と、電動機支持体に連結されて、その連結部分で第１の回転軸と直交する第２の回転軸２２を中心に電動機支持体を回転可能に支持する本体側支持体４と、を備え、電動機部と電動機支持体との連結部分が１箇所である。【選択図】図１
2012237199.tif 000002
【特許請求の範囲】
【請求項１】
ファンと、
前記ファンを回転させる電動機部と、
前記電動機部に連結されて、その連結部分で前記ファンの回転軸に垂直な第１の回転軸を中心に前記電動機部を回転可能に支持する電動機支持体と、
前記電動機支持体に連結されて、その連結部分で前記第１の回転軸と直交する第２の回転軸を中心に前記電動機支持体を回転可能に支持する本体側支持体と、を備え、
前記電動機部と前記電動機支持体との連結部分が１箇所であることを特徴とする天井旋回扇風機。
【請求項２】
ファンと、
前記ファンを回転させる電動機部と、
前記電動機部に連結されて、その連結部分で前記ファンの回転軸に垂直な第１の回転軸を中心に前記電動機部を回転可能に支持する電動機支持体と、
前記電動機支持体に連結されて、その連結部分で前記第１の回転軸と直交する第２の回転軸を中心に前記電動機支持体を回転可能に支持する本体側支持体と、を備え、
前記電動機支持体と前記本体側支持体との連結部分が１箇所であることを特徴とする天井旋回扇風機。
【請求項３】
ファンと、
前記ファンを回転させる電動機部と、
前記電動機部に連結されて、その連結部分で前記ファンの回転軸に垂直な第１の回転軸を中心に前記電動機部を回転可能に支持する電動機支持体と、
前記電動機支持体に連結されて、その連結部分で前記第１の回転軸と直交する第２の回転軸を中心に前記電動機支持体を回転可能に支持する本体側支持体と、を備え、
前記電動機部と前記電動機支持体との連結部分が１箇所であり、
前記電動機支持体と前記本体側支持体との連結部分が１箇所であることを特徴とする天井旋回扇風機。
【発明の詳細な説明】
【技術分野】
【０００１】
本発明は、天井旋回扇風機に関し、特に天井旋回扇風機の回転軸に関するものである。
【背景技術】
【０００２】
天井旋回扇風機は、ファンを有する電動機部を回転自在に支持する電動機支持体を有する。電動機支持体が回転自在に本体に連結されることによって、２軸による自在継手機構を構成し、電動機部が旋回運動可能な構造となっている。天井旋回扇風機は、このような構造により、ファン部分を旋回させながら送風することで、より広範囲に風を送ることができる。
【０００３】
自在継手機構を構成する２軸のうちの一方の軸は、本体に一体に形成された２本の支持部の先端に設けられて、同一軸線上に位置する２箇所の支持軸で構成される。２箇所の支持軸には、電動機部を支持する電動機支持体が回転自在に連結されている。
【０００４】
自在継手機構を構成する２軸のうちの他方の軸は、電動機部に設けられた、対称となる２箇所の電動機保持軸で構成される。電動機保持軸は、電動機支持体に回転自在に連結されている。支持軸を結ぶ軸線（一方の軸）と、電動機保持軸を結ぶ軸線（他方の軸）とは、同一平面上で互いに直交するよう構成されることで、電動機部が旋回運動をすることができる。
【先行技術文献】
【特許文献】
【０００５】
【特許文献１】特開昭６１−１６４４３９号公報
【発明の概要】
【発明が解決しようとする課題】
【０００６】
しかしながら、上記従来の天井旋回扇風機が備える自在継手構造では、互いに直交する２軸が、それぞれ２箇所の軸で支持されている両軸構造からなっている。そのため、それぞれ両軸を支持するための構造部を必要としている。両軸を支持するための構造部を設けることで、部品数の増大や製品の大型化を招き、製造コストが高くなるという問題があった。
【０００７】
また、構造が複雑で組立に要する時間も多く必要となり、製造コストが高くなるという問題があった。また、製品が大型化することで、大きな取付スペースが必要となり、取り付け場所が制限されるという問題があった。また、製品の大型化により、デザイン上の制約も生じる場合がある。
【０００８】
本発明は、上記に鑑みてなされたものであって、部品数の削減や製品の小型化を図り、製造コストの抑制や取付スペースの省スペース化を図ることのできる天井旋回扇風機を得ることを目的とする。
【課題を解決するための手段】
【０００９】
上述した課題を解決し、目的を達成するために、本発明は、ファンと、ファンを回転させる電動機部と、電動機部に連結されて、その連結部分でファンの回転軸に垂直な第１の回転軸を中心に電動機部を回転可能に支持する電動機支持体と、電動機支持体に連結されて、その連結部分で第１の回転軸と直交する第２の回転軸を中心に電動機支持体を回転可能に支持する本体側支持体と、を備え、電動機部と電動機支持体との連結部分が１箇所であることを特徴とする。
【発明の効果】
【００１０】
電動機部と電動機支持体との連結部分が１箇所であるため、電動機部を電動機支持体に対して回転自在に片持ちさせることができるので、部品数の削減や製品の小型化を図ることができる。また、構造が簡略化されることで、材料の削減や組立時間の短縮化を計ることができ、製造コストの抑制を図ることができる。また、製品の小型化により、取付スペースの省スペース化を図ることができる。
【図面の簡単な説明】
【００１１】
【図１】図１は、本発明の実施の形態１にかかる天井旋回扇風機の全体構成を示す正面図である。
【図２】図２は、図１に示す天井旋回扇風機の全体構成を示す側面図である。
【図３】図３は、図２に示すＡ−Ａ線に沿った矢視断面図であって、電動機支持体と本体側支持体の平面構成を説明するための図である。
【図４】図４は、電動機支持体と電動機部との連結部部分を拡大した部分拡大断面図である。
【図５】図５は、電動機支持体と本体側支持体との連結部部分を拡大した部分拡大断面図である。
【図６】図６は、本発明の実施の形態２にかかる天井旋回扇風機の正面図である。
【図７】図７は、図６に示す天井旋回扇風機の側面図である。
【図８】図８は、図７に示すＢ−Ｂ線に沿った矢視断面図であって、電動機支持体と本体側支持体の平面構成を説明するための図である。
【図９】図９は、電動機支持体と電動機部との連結部部分を拡大した部分拡大断面図である。
【図１０】図１０は、電動機支持体と本体側支持体との連結部部分を拡大した部分拡大断面図である。
【図１１】図１１は、本発明の実施の形態３にかかる天井旋回扇風機の正面図である。
【図１２】図１２は、図１１に示すＣ−Ｃ線に沿った矢視断面図であって、電動機支持体と本体側支持体の平面構成を説明するための図である。
【発明を実施するための形態】
【００１２】
以下に、本発明の実施の形態にかかる天井旋回扇風機を図面に基づいて詳細に説明する。なお、この実施の形態によりこの発明が限定されるものではない。
【００１３】
実施の形態１．
図１は、本発明の実施の形態１にかかる天井旋回扇風機の全体構成を示す正面断面図である。図２は、図１に示す天井旋回扇風機の全体構成を示す側面断面図である。天井旋回扇風機５０は、電動機部５、電動機支持体２、本体１を備えて構成される。
【００１４】
電動機部５は、電動機８、モーターカバー１８、電動機保持板７を有して構成される。電動機部５は、電動機８でファン１３を回転駆動させる。電動機部５には、ファン１３を覆う保護ガード１４が取り付けられている。ファン１３は、回転することで空気を流動させて送風を可能とする。ファン１３は、ファンの回転軸２０を中心に回転する。
【００１５】
電動機保持板７は、電動機８を保持する。電動機保持板７には、図２に示すように、電動機８を挟んで対称となる２箇所に電動機保持軸６がカシメ固定されている。モーターカバー１８は、電動機８および電動機保持板７を内部に収容する筐体であって、電動機８を保護する。
【００１６】
図３は、図２に示すＡ−Ａ線に沿った矢視断面図であって、電動機支持体２と本体側支持体４の平面構成を説明するための図である。図４は、電動機支持体２と電動機部５との連結部部分を拡大した部分拡大断面図である。図５は、電動機支持体２と本体側支持体４との連結部部分を拡大した部分拡大断面図である。なお、図３において、電動機８を省略している。
【００１７】
図３に示すように、電動機支持体２は、平面視において、コ字形状を呈している。電動機支持体２の両端部分には、互いに対向する位置に軸受け孔２ａが形成されている。すなわち、軸受け孔２ａは２箇所形成されている。電動機保持板７にカシメ固定された電動機保持軸６は、図２や図４に示すように、電動機支持体２の軸受け孔２ａに挿入される。
【００１８】
軸受け孔２ａに挿入された電動機保持軸６の先端にはＥリング１５が装着されている。このＥリング１５によって、電動機保持軸６が軸受け孔２ａから抜け落ちるのが防止される。この構成により、電動機支持体２に対して電動機保持軸６が第１の回転軸２１を中心に回転自在に連結される。
【００１９】
これにより、電動機保持軸６がカシメ固定された電動機保持板７、すなわち電動機部５が電動機支持体２に対して第１の回転軸２１を中心に回転自在に連結されることとなる。本実施の形態１では、電動機部５と電動機支持体２との連結部分は２箇所となる。
【００２０】
図３に示すように、電動機支持体２の中央部分の１箇所には、軸受け孔２ｂが形成されている。電動機支持体２の軸受け孔２ｂには、支持軸３がカシメ固定されている。また、本体１から下方に延びる本体側支持体４の先端部分には軸受け孔４ａが形成されている。
【００２１】
図５に示すように、本体側支持体４に形成された軸受け孔４ａには、軸受けメタル１０がナット１６により固定されている。軸受けメタル１０には、電動機支持体２の軸受け孔２ｂにカシメ固定された支持軸３が挿入される。支持軸３の先端には、Ｅリング１５が装着される。このＥリング１５によって、本体側支持体４の軸受け孔４ａから支持軸３が抜け落ちるのを防いでいる。
【００２２】
この構成により、本体側支持体４に対して支持軸３が第２の回転軸２２を中心に回転自在に連結される。これにより、支持軸３がカシメ固定された電動機支持体２が第２の回転軸２２を中心に回転自在に連結されることとなる。本実施の形態１では、電動機支持体２と本体側支持体４との連結部分は１箇所となる。また、電動機支持体２は、本体１によって回転自在に片持ちされる構成となる。
【００２３】
なお、第１の回転軸２１は、ファンの回転軸２０と直交する。また、第１の回転軸２１と、第２の回転軸２２は、同一平面上で互いの軸線の中心で直交するように構成されている。
【００２４】
また、図１に示すように、電動機部５の上部には、電動機８の中心線上に駆動軸９が設けられており、駆動軸９にはアーム１２が回転自在に連結され、さらにアーム１２のもう一端は本体１に固定されたギアモーター１１の出力軸１１ａに固定されている。
【００２５】
このように、電動機部５は、天井に固定された本体１に対し、お互いが直交する２軸（第１の回転軸２１と第２の回転軸２２）に対しそれぞれ回転自在に連結されているので、ギアモーター１１が回転駆動することで、アーム１２を介して旋回運動する構造となっている。
【００２６】
以上説明したように、電動機支持体２と本体１（本体側支持体４）との連結部分が１箇所であり、電動機支持体２は本体１に対し回転自在に片持ちされる構成となっているので、部品数の削減や製品の小型化を図ることができる。
【００２７】
また、構造が簡略化されることで、材料の削減や組立時間の短縮化を計ることができ、製造コストの抑制を図ることができる。また、製品の小型化により、取付スペースの省スペース化を図ることができる。また、本体１に設けられる本体側支持体４が１本で済むので、デザインの幅を広げることができる。
【００２８】
実施の形態２．
図６は、本発明の実施の形態２にかかる天井旋回扇風機１００の正面図である。図７は、図６に示す天井旋回扇風機１００の側面図である。図８は、図７に示すＢ−Ｂ線に沿った矢視断面図であって、電動機支持体と本体側支持体の平面構成を説明するための図である。図９は、電動機支持体と電動機部との連結部部分を拡大した部分拡大断面図である。図１０は、電動機支持体と本体側支持体との連結部部分を拡大した部分拡大断面図である。なお、以下の説明において、上記実施の形態と同様の構成には同様の符号を付して、詳細な説明を省略する。また、図８において、電動機８を省略している。
【００２９】
本実施の形態２では、図７〜図９に示すように、電動機部５と電動機支持体３２との連結部分が１箇所となっている。電動機部５が備える電動機保持板７の片側には、電動機保持軸６がカシメ固定されている。
【００３０】
図８に示すように、電動機支持体３２は、平面視において、コ字形状を呈している。電動機支持体３２の中央部分の１箇所には、軸受け孔３２ａが形成されている。電動機支持体３２の軸受け孔３２ａには、ナット１６によって軸受けメタル１０が固定される。電動機保持軸６は、軸受けメタル１０に挿入され、先端にＥリング１５が装着される。このＥリング１５により、電動機保持軸６が軸受け孔３２ａから抜け落ちるのを防いでいる。
【００３１】
この構成により、電動機部５が電動機支持体３２に対して第１の回転軸２１を中心に回転自在に連結される。また、電動機部５は、電動機支持体３２に対し回転自在に片持ちされる構成となる。本実施の形態２では、電動機部５と電動機支持体３２との連結部分が１箇所となる。
【００３２】
図８に示すように、電動機支持体３２の両端部分には、互いに対向する位置に軸受け孔３２ｂが形成されている。すなわち、軸受け孔３２ｂは２箇所形成されている。電動機支持体３２に形成された軸受け孔３２ｂには、支持軸３が挿入される。支持軸３の先端にはＥリング１５が装着されている。このＥリング１５によって、支持軸３が軸受け孔３２ｂから抜け落ちるのを防いでいる。この構成により、支持軸３が電動機支持体３２に対して回転可能に連結される。
【００３３】
また、支持軸３は、図１０に示すように、本体側支持体４に対してカシメ固定される。この構成により、電動機支持体３２が本体側支持体４に対して第２の回転軸２２を中心に回転可能に連結される。なお、電動機支持体３２と本体側支持体４との連結部分は２箇所となる。
【００３４】
なお、上記実施の形態１と同様に、第１の回転軸２１は、ファンの回転軸２０と直交する。また、第１の回転軸２１と、第２の回転軸２２は、同一平面上で互いの軸線の中心で直交するように構成されている。
【００３５】
図６に示すように、電動機部５の上部には、電動機８の中心線上に駆動軸９が設けられており、駆動軸９にはアーム１２が回動自在に連結され、さらにアーム１２のもう一端は本体１に固定されたギアモーター１１の出力軸１１ａに固定されている。
【００３６】
このように、電動機部５は、天井に固定された本体１に対し、お互いが直交する２軸（第１の回転軸２１と第２の回転軸２２）に対して、それぞれ回転自在に連結されているので、ギアモーター１１が回転駆動するとアーム１２を介し旋回運動する構造となっている。
【００３７】
以上説明したように、電動機部５と電動機支持体３２との連結部分が１箇所であり、電動機部５は電動機支持体３２に対し回転自在に片持ちされる構成となっているので、部品数の削減や製品の小型化を図ることができる。
【００３８】
また、構造が簡略化されることで、材料の削減や組立時間の短縮化を計ることができ、製造コストの抑制を図ることができる。また、製品の小型化により、取付スペースの省スペース化を図ることができる。
【００３９】
実施の形態３．
図１１は、本発明の実施の形態３にかかる天井旋回扇風機１５０の正面図である。図１２は、図１１に示すＣ−Ｃ線に沿った矢視断面図であって、電動機支持体と本体側支持体の平面構成を説明するための図である。なお、以下の説明において、上記実施の形態と同様の構成には同様の符号を付して、詳細な説明を省略する。また、図１２において、電動機８を省略している。
【００４０】
本実施の形態３では、図１２に示すように、電動機支持体４２が平面視においてＬ字形状を呈している。電動機支持体４２には、一方の端部に軸受け孔４２ａが１箇所形成され、他方の端部に軸受け孔４２ｂが１箇所形成される。
【００４１】
軸受け孔４２ａには、電動機部５が第１の回転軸２１を中心に回転可能に連結される。また、軸受け孔４２ｂには、本体側支持体４が第２の回転軸２２を中心に回転可能に連結される。すなわち、本実施の形態３では、電動機部５と電動機支持体４２との連結部分、および電動機支持体４２と本体側支持体４（本体１）との連結部分が、それぞれ１箇所となっている。電動機部５は、電動機支持体４２に対して回転自在に片持ちされ、電動機支持体４２は本体側支持体４に対して回転自在に片持ちされる。
【００４２】
なお、これらの連結構造については、上記実施の形態で説明したものと同様であるので、詳細な説明を省略する。また、上記実施の形態１と同様に、第１の回転軸２１は、ファンの回転軸２０と直交する。また、第１の回転軸２１と、第２の回転軸２２は、同一平面上で互いの軸線の中心で直交するように構成されている。
【００４３】
以上説明したように、電動機部５と電動機支持体４２との連結部分、および電動機支持体４２と本体１との連結部分が１箇所であり、電動機部５および電動機支持体４２がそれぞれ回転可能に片持ちされる構成となっているので、部品数の削減や製品の小型化を図ることができる。
【００４４】
また、構造が簡略化されることで、材料の削減や組立時間の短縮化を計ることができ、製造コストの抑制を図ることができる。また、製品の小型化により、取付スペースの省スペース化を図ることができる。また、本体１に設けられる本体側支持体４が１本で済むので、デザインの幅を広げることができる。
【産業上の利用可能性】
【００４５】
以上のように、本発明にかかる天井旋回扇風機は、電動機を旋回させて広範囲に送風する天井旋回扇風機に有用である。
【符号の説明】
【００４６】
１  本体
２  電動機支持体
２ａ  軸受け孔
２ｂ  軸受け孔
３  支持軸
４  本体側支持体
４ａ  軸受け孔
５  電動機部
６  電動機保持軸
７  電動機保持板
８  電動機
９  駆動軸
１０  軸受けメタル
１１  ギアモーター
１１ａ  出力軸
１２  アーム
１３  ファン
１４  保護ガード
１５  Ｅリング
１６  ナット
１８  モーターカバー
２０  ファンの回転軸
２１  第１の回転軸
２２  第２の回転軸
３２  電動機支持体
３２ａ  軸受け孔
３２ｂ  軸受け孔
４２  電動機支持体
４２ａ  軸受け孔
４２ｂ  軸受け孔
５０，１００，１５０  天井旋回扇風機
【図１】
2012237199.tif 000003
【図２】
2012237199.tif 000004
【図３】
2012237199.tif 000005
【図４】
2012237199.tif 000006
【図５】
2012237199.tif 000007
【図６】
2012237199.tif 000008
【図７】
2012237199.tif 000009
【図８】
2012237199.tif 000010
【図９】
2012237199.tif 000011
【図１０】
2012237199.tif 000012
【図１１】
2012237199.tif 000013
【図１２】
2012237199.tif 000014